(57)【要約】【課題】丸編機のジャカード・セミジャカード編成において、ウエルトのステッチを回避することにより糸・フィラメントの破断やカブリを防止する編成方法及び編成機構並びに丸編機を提供する。【解決手段】本発明は、ニット選針の針及びタック選針の針のみステッチさせ、ウエルト選針の針は無効化方法によりステッチを無効とすることにより、ウエルト選針の針はステッチしないため、オールドループへの負担を抑え、糸・フィラメントの破断やカブリを防止することができる。【選択図】図３
2017089043.tif 000002
【特許請求の範囲】
【請求項１】
丸編機の針溝を備えた編成体において前記針溝に挿入された針の選針による編成方法であって、ニット選針の針及びタック選針の針のみステッチさせ、ウエルト選針の針は無効化方法によりステッチを無効とすることを特徴とする編成方法。
【請求項２】
前記無効化方法は、固定部材を用いた機械的無効化方法を含むことを特徴とする、請求項１の編成方法。
【請求項３】
前記無効化方法は、電気的選針装置を用いた電気的無効化方法を含むことを特徴とする、請求項１又は２の編成方法。
【請求項４】
丸編機の針溝を備えた編成体において同一の前記針溝に係合可能に挿入された針及びジャックのいずれかに作用して針を選針する選針器における編成方法であって、
ウエルト選針の針又はジャックのバットをステッチ位置より前からステッチ位置の後までステッチを行うカムから外してカムのガイドを無効とすることを特徴とする編成方法。
【請求項５】
ウエルト選針の針又はジャックのバットは、ウエルト選針後、ステッチまでに一度バットをカムに戻してから再度ステッチの位置の後まで外すことを特徴とする請求項４の編成方法。
【請求項６】
ウエルト選針の針又はジャックのバットを、ステッチを行うカムから外すのはステッチ位置直前かつウエルトの高さの位置であることを特徴とする、請求項４又は５の編成方法。
【請求項７】
ウエルト選針の針又はジャックをカムとは逆の方向に押し込むことによりバットをカムから外すことを特徴とする、請求項４乃至６のいずれかに記載の編成方法。
【請求項８】
針溝を備えた編成体と、前記針溝に収納された針と、前記針と同溝に係合可能に収納されたジャックと、前記針又は前記ジャックに作用して前記針を選針する選針器とを含む丸編機における編成機構であって、
ウエルト選針の前記針又は前記ジャックのバットを、ステッチを行うカムから外す無効化手段をステッチ位置より前からステッチ位置より後まで備えたことを特徴とする編成機構。
【請求項９】
前記無効化手段は前記針のバットがステッチ位置直前かつウエルトの高さの位置にあるときに作用するものであることを特徴とする、請求項８の編成機構。
【請求項１０】
前記無効化手段は前記針又は前記ジャックを直接的又は間接的に押し込むものであることを特徴とする、請求項８又は９の編成機構。
【請求項１１】
前記ジャックは、針と係合可能な第１ジャックと、前記第１ジャックと接触可能であって前記無効化手段に対向して設けられた第２ジャックにより構成され、前記第２ジャックは前記無効化手段によって直接的に押し込まれ、これに伴い前記第１ジャックが間接的に押し込まれ、これにより前記第１ジャックのバットをステッチを行うカムから外すことを特徴とする、請求項８乃至１０のいずれかに記載の編成機構。
【請求項１２】
前記無効化手段として突出部を設け、ウエルト選針された針又はジャックのバットは前記突出部が設けられた高さに位置し、ニット選針された針又はジャックのバットは前記突出部が設けられた高さとは異なる高さに位置し、これによりウエルト選針された針又はジャックはステッチ位置まで移動した後、バットが前記突出部によって一様に押し込まれることでバットをカムから外すことを特徴とする、請求項８乃至１１のいずれかに記載の編成機構。
【請求項１３】
前記無効化手段として突出部を設け、ステッチ位置より前に電磁選針装置を設け、ウエルト選針の針を再度ステッチ位置より前に選針し、ウエルト選針された針又はジャックのバットは前記突出部が設けられた高さに位置し、それ以外の針又はジャックのバットは前記突出部が設けられた高さとは異なる高さに位置し、これによりウエルト選針された針又はジャックはステッチ位置まで移動した後、バットが前記突出部によって一様に押し込まれることでバットをカムから外すことを特徴とする、請求項８乃至１１のいずれかに記載の編成機構。
【請求項１４】
前記無効化手段として多段式圧電素子アクチュエータを設け、ウエルト選針の針又はジャックを再度ステッチ位置より前に選針し、前記多段式圧電素子アクチュエータのペグによりウエルト選針の針又はジャックのバットが押し込まれることでバットをカムから外すことを特徴とする、請求項８乃至１１のいずれかに記載の編成機構。
【請求項１５】
前記無効化手段として多段式ペグホルダを設け、ウエルト選針の針又はジャックを再度ステッチ位置より前に選針し、前記多段式ペグホルダのペグによりウエルト選針の針又はジャックのバットが押し込まれることでバットをカムから外すことを特徴とする、請求項８乃至１１のいずれかに記載の編成機構。
【請求項１６】
請求項８乃至１６のいずれかに記載の前記編成機構を有することを特徴とする丸編機。
【発明の詳細な説明】
【技術分野】
【０００１】
本発明は、各種柄編機等で使用される、丸編機の編成方法及び編成機構並びにその丸編機に関する。
【背景技術】
【０００２】
丸編機においてセミジャカード編成やジャカード編成を行う柄編機等は、選針装置を備え、これにより選針を行う。選針とは、針やシンカー等の編みツールを作用又は非作用状態に切り替え、編みツールの軌道を変えることをいう。選針装置によって編みツールは軌道を変え、針の場合は主にニット、タック、ウエルトの３ポジションの編み組織いずれかの軌道を取り、編成が行われる。
【０００３】
この選針方法としては、電磁アクチュエータとセレクトジャック及びロッキングピースを組み合わせた例えば特開平９−１１１６２１号のような電磁選針装置が開示されている。また、多段式圧電素子アクチュエータとパターニングジャックを組み合わせた例えば特公平６−９４６１９のような圧電素子を用いた選針装置や、多段式圧電素子アクチュエータの代わりに多段式ペグホルダを用いた特開昭５０−５８３４７のような機械的選針装置が知られている。
【０００４】
これら電気的及び機械的選針装置における選針方法により、針ごとにニット、タック、ウエルトいずれかへの選針を可能にしている。その原理は、編機の回転により移動する針を、針への給糸が行われる各フィーダに設置されたカムの入口部分において、まず針を上昇させるかそのままの位置をキープするか選択し、上昇させた場合はカム中央程度の高さまで上昇し、そこでさらに上昇させるかそのままの位置をキープするか、給糸位置までに選択するというものである。つまりニットの場合は最初針を上昇させ、次もさらに上昇させ、給糸を受ける。タックの場合は最初上昇させた後、次はそのままの位置をキープし、給糸を受ける。ウエルトの場合は最初にそのままの位置をキープする。その後カムのガイドにより、ニット・タック位置にある針を下降させた後ウエルト選針の針も含めた全ての針をステッチして、元の位置に戻り次のフィーダに入る。
【０００５】
選択メカニズムとしては、針を上昇させる場合は、そのまま針のバットをカムにガイドさせて針を上昇させ、そのままの位置をキープする場合は、針又は針の下部に設けられたジャックを編機のシリンダ等の回転方向ではなくその垂直方向に押し込み、バットをカムから外すことでカムのガイドを無効にして針にそのままの位置をキープさせるものが使用されている。
【０００６】
機械の仕様によりタックの選針を行わないものはあるが、各種柄編機は給糸位置までに１〜２回の選針を行うことにより針ごとの編み組織の選択を行い、ジャカード又はセミジャカード編成を可能にしている。
【先行技術文献】
【特許文献】
【０００７】
【特許文献１】特開平９−１１１６２１号
【特許文献２】特公平６−９４６１９
【特許文献３】特開昭５０−５８３４７
【発明の概要】
【発明が解決しようとする課題】
【０００８】
ジャカード又はセミジャカード編成を実行するため、給糸前に選針により編み組織を選択する。給糸後はニットやタックは給糸を受けた後ステッチする必要があるため、それに合わせてウエルトの針も含めた全ての針はカムのガイドによって一様に下降され、ステッチし、最初の高さに戻って次のフィーダに入るカム構造となっており、ウエルトもニットやタックと同じようにステッチするものとなっている。しかし、本来ウエルトについては給糸を受けておらず、ステッチする必要がない。
【０００９】
これについて近年、より高品質な編地が求められるようになり、品質を向上させるためには当該ウエルトのステッチが課題であることがわかってきた。編成条件が高度化、複雑化するにつれ、当該ウエルトのステッチは糸やフィラメントの破断を引き起こし、編地の品質に影響を与えるものとなった。
【００１０】
例えば、弱い糸、硬い糸や細い糸などの、引っ張りに弱く切れやすい糸が使用されるようになり、また編地のファインゲージ化によりループに余裕が少なくなったため、ウエルトのステッチで糸又はフィラメントの破断が起きやすくなった。ウエルト選針の針のフック内のオールドループは既にステッチされループの大きさが決定されているため、その後のウエルトでそれと同じ又はそれ以上のステッチを行うとオールドループへの負担が大きい。さらに、編地の多色化により、ウエルトフィーダが増加するため、同じループについて何度もステッチをすることで、糸やフィラメントの破断を引き起こしやすいものとなっていた。また、破断を起こさない強い糸であっても、ステッチによりオールドループが伸び、ニット時にラッチがオールドループに再度入る、いわゆるカブリが発生するものとなっていた。
【００１１】
本発明は、ウエルトのステッチを回避することにより糸・フィラメントの破断やカブリを防止する編成方法及び編成機構並びにその丸編機を提供することを目的とする。
【課題を解決するための手段】
【００１２】
本発明の編成方法は、丸編機の針溝を備えた編成体において前記針溝に挿入された針の選針による編成方法であって、ニット選針の針及びタック選針の針のみステッチさせ、ウエルト選針の針は無効化方法によりステッチを無効とすることを特徴とする。
【００１３】
これによると、ウエルト選針の針はステッチしないため、ステッチしたオールドループを無理に引っ張ることにならず、オールドループへの負担を抑えることができ、これにより糸・フィラメントの破断やカブリを防止することができる。
【００１４】
編成体にはシリンダやダイヤルなどがあり、選針には電磁選針装置、多段式圧電素子アクチュエータなどによる電気的な装置や、多段式ペグホルダなどによる機械的な装置を用いた方法などがある。無効化方法には突出部や多段式ペグホルダなどの固定部材を用いた機械的無効化方法、さらに電磁選針装置や多段式圧電素子アクチュエータなどの電気的選針装置を用いた選針などの電気的無効化方法などがある。
【００１５】
また本発明の編成方法は、丸編機の針溝を備えた編成体において同一の前記針溝に係合可能に挿入された針及びジャックのいずれかに作用して針を選針する選針器における編成方法であって、ウエルト選針の針又はジャックのバットをステッチ位置の後までステッチを行うカムから外してカムのガイドを無効とすることを特徴とする。
【００１６】
この方法によれば、ウエルト選針の針又はジャックはステッチ位置においてバットがステッチを行うカムから外れておりカムのガイドを受けないことにより、針はステッチしないため、ステッチすることにより発生するオールドループへの負荷を抑え、糸・フィラメントの破断やカブリを抑えることができる。
【００１７】
この方法は、ウエルト選針の針又はジャックのバットを、ステッチを行うカムから外すタイミングは問わず、ウエルト選針時に針又はジャックのバットを、ステッチを行うカムから外してそのままステッチの位置の後まで外し続けてもいいし、ウエルト選針後に一度バットをカムに戻してから再度ステッチの位置の後まで外すようにしてもいい。ここでステッチ位置とは編機の回転する方向である横方向において給糸後に糸を引き込むカムレースの最下点の位置をいう。上下関係は、針のフック方向を上、その逆のテール方向を下とする。高さ方向は上下方向とする。
【００１８】
ウエルト選針の針又はジャックのバットを、ステッチを行うカムから外すのはステッチ位置直前かつウエルトの高さの位置であることが好ましい。これにより、ウエルト針は下がることなく完全に横走りをすることになり、ループに負担をかけず糸・フィラメントの破断やカブリを抑えることができる。もちろんウエルトの高さでなくても、ステッチ位置よりも上の位置であれば本発明の範囲に含まれることは言うまでもない。
【００１９】
ウエルト選針の針又はジャックをカムとは逆の方向に押し込むことによりバットをカムから外すことが好ましい。
例えばペグでジャックのバットを直接押し込むことでジャック自体を押し込むようなものでもよく、ペグでジャックと同溝にさらに挿入されジャックと接触可能に設けられた第２ジャックのバットを押し込むことで間接的にジャックを押し込むようなものでもよい。またペグでなくてもウエルト選針のジャック又は第２ジャックのみが通過する軌道上に突出部材を設けて一様にジャック又は第２ジャックを押し込むものでもよい。ペグはバットを押し込むか否かを電気的に制御できるものであってもよいし、丸編機の稼動前にあらかじめ設定しておく機械的な装置であってもよい。これにより針又は針に係合したジャックのバットがステッチを行うカムから外れるため、カムのステッチ位置へのガイドを無効とすることができる。
【００２０】
また本発明の編成機構は、針溝を備えた編成体と、前記針溝に収納された針と、前記針と同溝に係合可能に収納されたジャックと、前記針又は前記ジャックに作用して前記針を選針する選針器とを含む丸編機における編成機構であって、ウエルト選針の針又はジャックのバットを、ステッチを行うカムから外す無効化手段をステッチ位置より前からステッチ位置より後まで備えたことを特徴とする。
【００２１】
この編成機構によると、無効化手段によりウエルト選針の針又はジャックのバットはステッチ位置においてステッチを行うカムから外れているため、カムのステッチ位置へのガイドを無効とすることができる。
【００２２】
無効化手段は針のバットがステッチ位置直前かつウエルトの高さの位置にあるときに作用するものであることが好ましい。これにより、ウエルト針は下がることなく完全に横走りをすることになり、ループに負担をかけず糸・フィラメントの破断やカブリを抑えることができる。もちろんウエルトの高さでなくても、ステッチ位置よりも上の位置で作用するものであれば本発明の範囲に含まれることは言うまでもない。
【００２３】
また、無効化手段が設けられるのは針又はジャックに対向した位置に限らず、ジャックと同溝にさらに挿入されジャックと接触可能に設けられた第２ジャックに対向した位置なども含まれる。このため無効化手段は針又はジャックに直接作用するものに限らず、第２ジャックに作用することで間接的にジャックに作用するものも含まれる。
【００２４】
無効化手段は針又はジャックを直接的又は間接的に押し込むものであることが好ましい。例えばペグでジャックのバットを直接押し込むことでジャック自体を押し込むようなものでもよく、ペグで第２ジャックのバットを押し込むことで間接的にジャックを押し込むようなものでもよい。またペグでなくてもウエルト選針のジャック又は第２ジャックのみが通過する軌道上に突出部材を設けて一様にジャック又は第２ジャックを押し込むものでもよい。ペグはバットを押し込む位置をとるか否かを電気的に制御できるものであってもよいし、丸編機の稼動前にあらかじめ設定しておく機械的な装置であってもよい。これにより針又は針に係合したジャックのバットがステッチを行うカムから外れるため、カムのガイドを無効とすることができる。
【００２５】
また本発明の丸編機は前記編成機構を有することを特徴とする。
【図面の簡単な説明】
【００２６】
【図１】本発明の実施例１における編成装置のカムホルダ正面図並びにそれに対応する針及びジャックの側面図である。
【図２】図１の(a)１位置における編成装置の断面図、(b)図１の２位置における編成装置の断面図、(c)図１の１’位置における編成装置の断面図、(d)図１の２’位置における編成装置の断面図である。
【図３】本発明の実施例２における編成装置のカムホルダ正面図並びにそれに対応する針及びジャックの側面図である。
【図４】(a)図３の１位置における編成装置の断面図、(b)図３の２位置における編成装置の断面図、(c)図３の３位置における編成装置の断面図、(d)図３の１’位置における編成装置の断面図、(e)図３の３’位置における編成装置の断面図である。
【発明を実施するための形態】
【実施例１】
【００２７】
以下、本発明の実施例１を図面にしたがって説明する。図１は本発明の実施例１における編成装置のカムホルダ正面図並びにそれに対応する針及びジャックの側面図である。本実施例では丸編機の編成体であるシリンダに設けられた針溝に、針１、針１の下方に針１と係合し一体的に運動するよう設けられた中間ジャック２、中間ジャック２の下方に中間ジャック２と接触可能に設けられたセレクトジャック３が同一の溝に挿入されている。
【００２８】
そして針１及び中間ジャック２のバットに対向してカムがカムホルダ４を介して設けられている。本実施例においては、中間ジャック２は上部及び下部にバット２２，２１を有しており、下部バット２１に対向するカムとしてステッチを行うステッチカム４１とジャックを上昇させるジャックレージングカム４２が編機の回転方向に交互に設けられている。ステッチカム４１のガイドにより下部バット２１は引き下げられ、中間ジャック２及びこれに係合された針１も引き下げられ、ステッチする構造となっている。針１及び上部バット２２に対向するカムにはステッチ部分は設けられず、その部分はウエルト位置で横走りする構造となっている。また、ジャックレージングカム４２のカムレースはニットの軌道を有し、さらにジャックレージングカム４２における下部バット２１を最初に上昇させる部分を越えたところからジャックレージングカム４２の端までウエルト位置で溝が設けられ、最初の部分でバットをカムから外せばウエルトの軌道がとれる構造となっている。
【００２９】
中間ジャック２とセレクトジャック３の接触部分は、中間ジャック２が編機の回転方向を中心として内側、セレクトジャック３が外側に設定されており、セレクトジャック３が内側に押し込まれたとき中間ジャック２もセレクトジャック３に押されて内側に押し込まれる構造となっている。
【００３０】
セレクトジャック３については対向する電磁アクチュエータ５１及びカムがアクチュエータホルダ５を介して設けられている。セレクトジャック３は、上部にある中間ジャック２との接触位置よりも下方であってセレクトジャック３全体におけるやや上方に押し込みバット３１を有し、その下方にミドルバット３２を有し、さらにその下方であってセレクトジャック３全体におけるやや下方に揺動片３３を有する。押し込みバット３１の上方であって接触しない位置には突出部５２１、５２２を備えたプッシュカム５２がセレクトジャック３に対向して設けられており、通常は、押し込みバット３１は何にも接触しないが、セレクトジャック３が上昇すれば押し込みバット３１が突出部５２１、５２２に接触するという位置関係にある。揺動片３３には電磁アクチュエータ５１が対向して設けられている。
【００３１】
図２は図１の(a)１位置における編成装置の断面図、(b)図１の２位置における編成装置の断面図、(c)図１の１’位置における編成装置の断面図、(d)図１の２’位置における編成装置の断面図である。本実施例はニット・ウエルトの２ポジション選針であり、選針プロセスとしては、ウエルトの場合は選針データの信号を受けて電磁アクチュエータが作用し、揺動片３３の下部３３１を吸着することで、(c)のように揺動片３３の下端がレージングカム５３に乗り、揺動片３３が上昇し、併せてセレクトジャック３も上昇し、押し込みバット３１が突出部５２１によって押し込まれ、併せてセレクトジャック３も押し込まれ、それに伴って中間ジャック２も押し込まれ、中間ジャック２の下部バット２１はカムから外れてウエルトになる。ニットの場合は(a)のように揺動片３３の上部３３２を吸着することで、揺動片はレージングカム５３に乗らず、セレクトジャック３は上昇しないため押し込みバット３１は突出部５２１の下を通ることにより、中間ジャック２はそのまま下部バット２１がジャックレージングカム４２のガイドを受けて上昇しニットとなる。
【００３２】
本実施例では、プッシュカム５２のステッチ位置において突出部５２２を設けている。これにより(d)のように、ウエルト選針された針１のセレクトジャック３は上昇したままステッチ位置まで移動した後、押し込みバット３１が突出部５２２によって一様に押し込まれ、中間ジャック２の下部バット２１をステッチカム４１から外し、ステッチへのガイドを回避して針をウエルト位置のまま横走りさせることができる。これによりウエルト選針された針はステッチを回避するものとなる。一方(b)のように、ニット選針の針はセレクトジャック３が上昇していないため押し込みバット３１は突出部５２２の下を通過し中間ジャック２の下部バット２１がステッチカム４１から外れることはなく、そのままカムのガイドに従ってステッチし移動する。
【００３３】
本実施例はニット・ウエルトの２ポジション選針の構成である。本実施例ではステッチ位置に突出部５２２を設けているのみであるが、突出部５２２の前に選針器を設け、その前にいったん全てのセレクトジャック３をミドルバット３２に対向するミドルカム５４によって下降させ、選針器によって最初ウエルト選針した針を再度選針し、再度セレクトジャック３を上昇させることで、その後ステッチ位置の突出部５２２において押し込みバット３１が押し込まれ、ウエルト選針の針がステッチせずウエルト位置をキープする構成もある。この構成であれば、さらにニット・タック選針部分にもアクチュエータを設けニット・タック選針を行うことにより、ニット・タック・ウエルトの３ポジション選針が可能である。
【００３４】
本実施例はウエルト選針の場合はセレクトジャックを上昇させ、ニット選針の場合は、セレクトジャックは上昇せず横走りさせたが、これは逆でもよい。ステッチ位置において突出部を設け、ウエルト選針された針又はジャックのバットは突出部が設けられた高さに位置し、ニット選針された針又はジャックのバットは突出部が設けられた高さとは異なる高さに位置するようにさえすれば、これによりウエルト選針された針又はジャックはステッチ位置まで移動した後、押し込みバットが突出部によって一様に押し込まれることで下部バットをカムから外すことができ、ウエルト選針の針はステッチを回避することができる。
【実施例２】
【００３５】
以下、本発明の実施例２を図面にしたがって説明する。図３は本発明の実施例２における編成装置のカムホルダ正面図並びにそれに対応する針及びジャックの側面図である。本実施例では実施例１のセレクトジャック３に代えて、パターニングジャック６を使用している。
【００３６】
パターニングジャック６には上下に数段から数十段のバットを備えたパターニングバット６１が設けられ、これらパターニングバット６１の各バット位置に対応するペグ７１を備えた多段式圧電素子アクチュエータ７が対向して設けられている。
【００３７】
図４は(a)図３の１位置における編成装置の断面図、(b)図３の２位置における編成装置の断面図、(c)図３の３位置における編成装置の断面図、(d)図３の１’位置における編成装置の断面図、(e)図３の３’位置における編成装置の断面図である。選針プロセスとしては、選針データの信号を受けて多段式圧電素子アクチュエータ７のペグ７１が作用し、(d)のようにペグ７１が有効の場合はペグ７１が水平になることでパターニングバット６１と接触し、パターニングバット６１を押し込み、これによりパターニングジャック６が押し込まれ、これに伴い中間ジャック２も押し込まれて下部バット２１がカムから外れる。一方(a)のようにペグ７１が無効の場合は、ペグ７１は下方を向き、パターニングバット６１の下を通るため下部バット２１がカムから外れることはない。
【００３８】
本実施例では多段式圧電素子アクチュエータ７が、ニット＆タックかウエルトかの選針を行う第一選針位置の他に、ニットかタックかの選針を行う第二選針位置、及びウエルト選針の針をステッチさせないよう選針を行うステッチ位置である第三選針位置に設けられている。
【００３９】
第一選針位置ではウエルト選針の場合は(d)のようにペグ７１を有効にして、ニット・タック選針の場合は(a)のように無効にする。第二選針位置では第一選針位置の選針の結果カムのガイドによってタック位置まで上昇した針１について、タック位置でカムから下部バット２１を外せばその位置をキープして横走りしタックとなるため、タック選針の場合は(b)のようにペグ７２を有効にして、ニット選針の場合は無効にする。第三選針位置では、実施例１のステッチ位置の突出部５２２に代えて、多段式圧電素子アクチュエータ７０を設け、ウエルト選針された針のみペグ７０１を有効にしてパターニングバット６１を押し込むことで下部バット２１がカムから外れ、ウエルト選針された針はステッチを回避できる。ニット・タック選針の針はステッチカム４１のガイドによって下降しステッチされる。
【００４０】
これによりニット・タック・ウエルトの３ポジション編成を行い、ウエルト選針の針のみステッチをせずにウエルト位置をキープして横走りをすることができ、ニット・タック選針の針はステッチするものとなる。
【００４１】
本実施例では多段式圧電素子アクチュエータを使用しているが、これに代えて多段式ペグホルダを用いてもよい。これにより、編機稼働中に柄を変えないセミジャカードの柄を編成することができる。
【００４２】
以上のとおり図面を参照しながらいくつかの好適な実施形態を説明したが、当業者であれば、本件明細書を見て、自明な範囲内で種々の変更および修正を容易に想定するであろう。したがって、そのような変更および修正は、添付の請求の範囲から定まる本発明の範囲内のものと解釈される。
【符号の説明】
【００４３】
１：針
２：中間ジャック
２１：下部バット
２２：上部バット
３：セレクトジャック
３１：押し込みバット
３２：ミドルバット
３３：揺動片
３３１：揺動片下部
３３２：揺動片上部
４：カムホルダ
４１：ステッチカム
４２：ジャックレージングカム
５：アクチュエータホルダ
５１：電磁アクチュエータ
５２：プッシュカム
５２１：突出部
５２２：突出部（ステッチ位置前）
５３：レージングカム
５４：ミドルカム
６：パターニングジャック
６１：パターニングバット
７：多段式圧電素子アクチュエータ
７１：ペグ（第一選針位置）
７２：ペグ（第二選針位置）
７０：多段式圧電素子アクチュエータ（第三選針位置）
７０１：ペグ（第三選針位置）
【図１】
2017089043.tif 000003
【図２】
2017089043.tif 000004
【図３】
2017089043.tif 000005
【図４】
2017089043.tif 000006